(57)【要約】【課題】個々の重量または厚さが同じである複数の物品にそれぞれ付された無線タグのＩＤを一括して読み取る際の読み漏れを容易に検出することができる無線ＩＤ読み取り装置および無線ＩＤ読み取り方法を提供する。【解決手段】無線ＩＤ読み取り装置１０では、個々の重量が同じである複数の物品Ｋの総重量を重量測定器１８で測定し、複数の物品Ｋにそれぞれ付された無線タグ５０の無線ＩＤを送受信アンテナ１２で一括して読み取る。また、物品Ｋの１個の重量をキーボード１６ａからコンピュータ１６に入力する。重量測定器１８により測定された複数の物品Ｋの総重量を物品Ｋの１個の重量で除して得られる値と、読み取った無線タグ５０の数とを比較して、無線タグ５０の読み漏れを検出する。【選択図】図１
2007193428.tif 000002
【特許請求の範囲】
【請求項１】
個々の重量が同じである複数の物品にそれぞれ付された無線タグのＩＤを一括して読み取るための無線ＩＤ読み取り装置であって、
複数の物品の総重量を測定するための重量測定部と、
前記複数の物品にそれぞれ付された無線タグのＩＤを一括して読み取るための送受信アンテナと、
前記物品の１個の重量を入力するための重量入力部と、
前記複数の物品の総重量を前記物品の１個の重量で除した値と前記ＩＤリーダで読み取った無線タグの数とを比較する演算部と、
を具備することを特徴とする無線ＩＤ読み取り装置。
【請求項２】
個々の厚さが同じである複数の物品にそれぞれ付された無線タグのＩＤを一括して読み取るための無線ＩＤ読み取り装置であって、
複数の物品の総厚さを測定するための厚さ測定部と、
前記複数の物品にそれぞれ付された無線タグのＩＤを一括して読み取るための送受信アンテナと、
前記物品の１個の厚さを入力するための厚さ入力部と、
前記複数の物品の総厚さを前記物品の１個の厚さで除した値と前記ＩＤリーダで読み取った無線タグの数とを比較する演算部と、
を具備することを特徴とする無線ＩＤ読み取り装置。
【請求項３】
個々にその厚さを記憶した無線タグが付された複数の物品の、それら複数の無線タグのＩＤと記憶した厚さを一括して読み取るための無線ＩＤ読み取り装置であって、
複数の物品の総厚さを、当該複数の物品の厚さ方向を合わせて、測定する厚さ測定部と、
これら複数の物品にそれぞれ付された無線タグのＩＤと記憶した厚さを一括して読み取るための送受信アンテナと、
前記送受信アンテナにより読み取られた複数の無線タグにそれぞれに記憶されていた各物品の厚さを合算し、その総和と前記厚さ測定部において測定された前記複数の物品の総厚さとを比較する演算部と、
を具備することを特徴とする無線ＩＤ読み取り装置。
【請求項４】
前記物品のそれぞれの厚さは、前記物品を一定の力でその厚さ方向に押圧した状態において測定されていることを特徴とする請求項３に記載の無線ＩＤ読み取り装置。
【請求項５】
前記厚さ測定部は、前記複数の物品の総厚さを、前記物品のそれぞれの厚さを測定したときと同じ力で押圧した状態において、測定することを特徴とする請求項４に記載の無線ＩＤ読み取り装置。
【請求項６】
個々の重量が同じである複数の物品にそれぞれ付された無線タグのＩＤを一括して読み取るための無線ＩＤ読み取り方法であって、
複数の物品の総重量を測定し、
前記複数の物品にそれぞれ付された無線タグのＩＤを一括して読み取り、
この総重量を１個の物品の重量で除した値と、読み取った無線タグの数とを比較することにより、無線タグの読み漏れを検出することを特徴とする無線ＩＤ読み取り方法。
【請求項７】
個々の厚さが同じである複数の物品にそれぞれ付された無線タグのＩＤを一括して読み取るための無線ＩＤ読み取り方法であって、
複数の物品の総厚さを測定し、
前記複数の物品にそれぞれ付された無線タグのＩＤを一括して読み取り、
この総厚さを１個の物品の厚さで除した値と、読み取った無線タグの数とを比較することにより、無線タグの読み漏れを検出することを特徴とする無線ＩＤ読み取り方法。
【請求項８】
個々にその厚さを記憶した無線タグが付された複数の物品の、それら複数の無線タグのＩＤと記憶した厚さを一括して読み取るための無線ＩＤ読み取り方法であって、
複数の物品の総厚さを当該複数の物品の厚さ方向を合わせて実測し、
前記複数の物品にそれぞれ付された無線タグのＩＤと記憶した厚さを一括して読み取って、該複数の物品の厚さを合算し、
前記複数の物品の実測された総厚さと、無線ＩＤに基づく合算された総厚さとを比較することにより、無線タグの読み漏れを検出することを特徴とする無線ＩＤ読み取り方法。
【請求項９】
前記物品のそれぞれの厚さを、前記物品を一定の力でその厚さ方向に押圧した状態において測定し、その測定値が当該物品に付される無線タグに記憶されていることを特徴とする請求項８に記載の無線ＩＤ読み取り方法。
【請求項１０】
前記複数の物品の総厚さを、前記物品のそれぞれの厚さを測定したときと同じ力で押圧した状態において、測定することを特徴とする請求項９に記載の無線ＩＤ読み取り方法。
【発明の詳細な説明】
【技術分野】
【０００１】
本発明は、無線ＩＤ読み取り装置および無線ＩＤ読み取り方法に関し、特に、複数の無線タグのＩＤを一括して読み取る際の読み漏れを容易に検出することができる無線ＩＤ読み取り装置および無線ＩＤ読み取り方法に関する。
【背景技術】
【０００２】
近年、固有の無線ＩＤが設定されるとともに、情報の書き換え可能なメモリエリアを有し、無線を利用して非接触で無線ＩＤの読み出しや任意の情報の書き込み及び読み出しができる無線データキャリア、いわゆる、無線タグが利用されている。
【０００３】
無線タグが付された多数の物品の、これら多数の無線タグのＩＤを一度に読み取ることができれば、識別作業の効率が高まる。しかし、多数の無線タグのＩＤを一度に読み取ろうとすると、読み取り漏れが発生するおそれがある。
【０００４】
このような読み取り漏れを防止する方法として、多数の物品のそれぞれに無線タグを取り付けて各無線タグにその物品の管理データと重量を記憶し、このような無線タグが取り付けられた多数の物品の集合体に無線ＩＤを読み取るための送受信（ＲＷ）アンテナを接近させて、個々の無線タグに記憶された管理データと重量を一括して読み取り、読み取った重量の合計を計算し、これと並行してこれら多数の物品の集合体の総重量を測定し、こうして得られた無線ＩＤに基づく計算重量と実測の総重量とを比較することにより、全ての無線タグが読み取られているか否かを判定する方法が知られている（例えば、特許文献１参照）。
【０００５】
しかしながら、この無線ＩＤ読み取り方法では、軽量物と重量物とが混在している集合体の場合や複数の軽量物からなる集合体の場合には、例えば、無線ＩＤが読み取られていない１個の軽量物の重量が、測定重量の許容誤差範囲内に納まってしまい、その物品の管理データが把握されないままとなってしまう問題がある。
【特許文献１】特開平１０−１７０３２９号公報
【発明の開示】
【発明が解決しようとする課題】
【０００６】
本発明はかかる事情に鑑みてなされたものであり、個々の重量または厚さが同じである複数の物品や個々の厚さが既知の複数の物品にそれぞれ付された無線タグのＩＤを一括して読み取る際の読み漏れを容易に検出することができる無線ＩＤ読み取り装置および無線ＩＤ読み取り方法を提供することを目的とするものである。
【課題を解決するための手段】
【０００７】
本発明の請求項１によれば、個々の重量が同じである複数の物品にそれぞれ付された無線タグのＩＤを一括して読み取るための無線ＩＤ読み取り装置であって、複数の物品の総重量を測定するための重量測定部と、前記複数の物品にそれぞれ付された無線タグのＩＤを一括して読み取るための送受信アンテナと、前記物品の１個の重量を入力するための重量入力部と、前記複数の物品の総重量を前記物品の１個の重量で除した値と前記ＩＤリーダで読み取った無線タグの数とを比較する演算部と、を具備することを特徴とする無線ＩＤ読み取り装置が提供される。
【０００８】
本発明の請求項２によれば、個々の厚さが同じである複数の物品にそれぞれ付された無線タグのＩＤを一括して読み取るための無線ＩＤ読み取り装置であって、複数の物品の総厚さを測定するための厚さ測定部と、前記複数の物品にそれぞれ付された無線タグのＩＤを一括して読み取るための送受信アンテナと、前記物品の１個の厚さを入力するための厚さ入力部と、前記複数の物品の総厚さを前記物品の１個の厚さで除した値と前記ＩＤリーダで読み取った無線タグの数とを比較する演算部と、を具備することを特徴とする無線ＩＤ読み取り装置が提供される。
【０００９】
本発明の請求項３によれば、個々にその厚さを記憶した無線タグが付された複数の物品の、それら複数の無線タグのＩＤと記憶した厚さを一括して読み取るための無線ＩＤ読み取り装置であって、複数の物品の総厚さを、当該複数の物品の厚さ方向を合わせて、測定する厚さ測定部と、これら複数の物品にそれぞれ付された無線タグのＩＤと記憶した厚さを一括して読み取るための送受信アンテナと、前記送受信アンテナにより読み取られた複数の無線タグにそれぞれに記憶されていた各物品の厚さを合算し、その総和と前記厚さ測定部において測定された前記複数の物品の総厚さとを比較する演算部と、を具備することを特徴とする無線ＩＤ読み取り装置が提供される。
【００１０】
本発明の請求項４によれば、上記請求項３の無線ＩＤ読み取り装置において、前記物品のそれぞれの厚さは、前記物品を一定の力でその厚さ方向に押圧した状態において測定されていることを特徴とする無線ＩＤ読み取り装置が提供される。
【００１１】
本発明の請求項５によれば、上記請求項４の無線ＩＤ読み取り装置において、前記厚さ測定部は、前記複数の物品の総厚さを、前記物品のそれぞれの厚さを測定したときと同じ力で押圧した状態において、測定することを特徴とする無線ＩＤ読み取り装置が提供される。
【００１２】
本発明の請求項６によれば、個々の重量が同じである複数の物品にそれぞれ付された無線タグのＩＤを一括して読み取るための無線ＩＤ読み取り方法であって、複数の物品の総重量を測定し、前記複数の物品にそれぞれ付された無線タグのＩＤを一括して読み取り、この総重量を１個の物品の重量で除した値と、読み取った無線タグの数とを比較することにより、無線タグの読み漏れを検出することを特徴とする無線ＩＤ読み取り方法が提供される。
【００１３】
本発明の請求項７によれば、個々の厚さが同じである複数の物品にそれぞれ付された無線タグのＩＤを一括して読み取るための無線ＩＤ読み取り方法であって、複数の物品の総厚さを測定し、前記複数の物品にそれぞれ付された無線タグのＩＤを一括して読み取り、この総厚さを１個の物品の厚さで除した値と、読み取った無線タグの数とを比較することにより、無線タグの読み漏れを検出することを特徴とする無線ＩＤ読み取り方法が提供される。
【００１４】
本発明の請求項８によれば、個々にその厚さを記憶した無線タグが付された複数の物品の、それら複数の無線タグのＩＤと記憶した厚さを一括して読み取るための無線ＩＤ読み取り方法であって、複数の物品の総厚さを当該複数の物品の厚さ方向を合わせて実測し、前記複数の物品にそれぞれ付された無線タグのＩＤと記憶した厚さを一括して読み取って、該複数の物品の厚さを合算し、前記複数の物品の実測された総厚さと、無線ＩＤに基づく合算された総厚さとを比較することにより、無線タグの読み漏れを検出することを特徴とする無線ＩＤ読み取り方法が提供される。
【００１５】
本発明の請求項９によれば、上記請求項８の無線ＩＤ読み取り方法において、前記物品のそれぞれの厚さを、前記物品を一定の力でその厚さ方向に押圧した状態において測定し、その測定値が当該物品に付される無線タグに記憶されていることを特徴とする無線ＩＤ読み取り方法が提供される。
【００１６】
本発明の請求項１０によれば、上記請求項９の無線ＩＤ読み取り方法において、前記複数の物品の総厚さを、前記物品のそれぞれの厚さを測定したときと同じ力で押圧した状態において、測定することを特徴とする無線ＩＤ読み取り方法が提供される。
【発明の効果】
【００１７】
本発明は、個々の重量または厚さが同じである複数の物品や個々の厚さが既知の複数の物品にそれぞれ付された無線タグのＩＤを一括して読み取る際の読み漏れを容易に検出することができるという効果を奏し、これにより、読み漏れを防止した物品管理が可能となる。
【発明を実施するための最良の形態】
【００１８】
以下、本発明の実施の形態について図面を参照しながら説明する。図１に本発明の第１の実施形態に係る無線ＩＤ読み取り装置の概略構成を示す。この無線ＩＤ読み取り装置１０は、無線タグ５０が付された複数の物品Ｋの総重量を測定するための重量測定器１８と、無線タグ５０のメモリデータを非接触で読み取るための送受信アンテナ（ＲＷアンテナ）１２と、この送受信アンテナ１２を制御するためのリーダ／ライタ１４と、リーダ／ライタ１４を制御するためのパーソナルコンピュータ（ＰＣ）１６等の上位制御装置とを備えている。
【００１９】
無線タグ５０の構造は詳細には図示しないが、無線タグ５０は無線データキャリアの一種であり、送受信可能なタグアンテナとＩＣチップとを基板に一体成形した独立の部品である。ＩＣチップには、タグアンテナで受信した変調電波の整流と安定化を行うことによりＩＣチップの各部に電源を供給する電源生成部、変調電波を復調して制御部へ送出する復調部、制御部から送出されたデータを変調してタグアンテナに送出する変調部、復調部で復調されたデータのメモリへの書き込みやメモリから送信データを読み出して変調部へ送出する制御部及びメモリが設けられている。
【００２０】
メモリは、無線タグ５０の製造段階で製造業者により割当て設定された固有の無線ＩＤを記憶する無線ＩＤエリアと、ユーザが任意のデータを書き込むことができるユーザエリアとから成る。ユーザエリアには無線タグ５０が貼り付けられた物品Ｋ毎に固有の追跡管理用コードが記録されている。
【００２１】
物品Ｋは、例えば、工業製品等であって重量が一定であり、しかも、１個の物品Ｋの重量は既知である。重量測定器１８は、例えば、電子天秤であり、複数の物品Ｋは箱５２に収納された状態で重量測定器１８に載置され、これにより、物品Ｋの総重量が測定される。なお、箱５２に収納される物品Ｋの数は一定とは限らない。
【００２２】
重量測定器１８のゼロ点は箱５２および送受信アンテナ１２の重量を予め差し引いた値に設定されており、複数の物品Ｋを収納した箱５２を送受信アンテナ１２上に載置すると、箱５２に収容された複数の物品Ｋの総重量が測定される。こうして測定された総重量は、コンピュータ１６へ送信されるようになっている。
【００２３】
なお、重量測定器１８のゼロ点設定は、重量測定器１８に何も載置されていない状態で行われており、物品Ｋを収納した箱５２が載置されるとその全重量が測定されてその測定値がコンピュータ１６へ送信され、他方、キーボード１６ａから箱５２および送受信アンテナ１２の重量をコンピュータ１６に入力することができ、コンピュータ１６は所定のソフトウェアを用いて、これらの値から物品Ｋの総重量を算出する構成としてもよい。
【００２４】
複数の物品Ｋは箱５２に規則正しく収納されていてもよいし、ランダムに収納されていてもよい。物品Ｋにおける無線タグ５０の取り付け位置は、通常、同じであるから、複数の物品Ｋを箱３２に規則正しく収納する場合には、物品Ｋにそれぞれ取り付けられた無線タグ５０の最大利得方向と送受信アンテナ１２からの電波送出方向とが平行となるようにすることが好ましい。
【００２５】
送受信アンテナ１２は、図示しないアンテナ部（金属アンテナ）が筐体に収容された構造を有している。このアンテナ部は、平面パッチアンテナであってもよいし、ダイポールアンテナであってもよい。送受信アンテナ１２は、箱５２に収納された複数の物品Ｋにそれぞれ付された無線タグ５０の無線ＩＤを一括して読み取るために、その主面に垂直に電波を送出する。なお、送受信アンテナ１２は、図１に示す配置に限定されるものではなく、例えば、箱５２の上側または側面から無線ＩＤを読み取るように配置してもよい。
【００２６】
リーダ／ライタ１４は、無線タグ５０との通信等を制御するためのＣＰＵや動作プログラムを記憶したＲＯＭ、データを一時的に記憶するＲＡＭ等で構成される制御部と、制御部から与えられるデータを無線通信に適した変調信号に変調する変調部と、変調信号を増幅して送受信アンテナ１２から電波として放射させる送信アンプと、送受信アンテナ１２で受信した電波信号を増幅する受信アンプと、増幅された電波信号からデータを復調して制御部に与える復調部と、を備えている。
【００２７】
箱５２に収納された物品Ｋに付された無線タグ５０との交信を行う際には、まず、キャリア信号を送信部で変調して電力用電波信号として送信アンテナから送信し、その後、送信すべきデータを電力用電波信号に重畳するように送信部で変調して送信アンテナから送信する。
【００２８】
コンピュータ１６へは、そのキーボード１６ａからは、物品Ｋの１個の重量を入力することができるようになっている。コンピュータ１６は、所定のソフトウェアを用いて、重量測定器１８で測定された箱５２内の物品Ｋの総重量をキーボード１６ａから入力された物品Ｋの１個の重量で除する。その値は原則として整数となるはずなので、重量測定の精度を考慮して、この整数（つまり、物品数）を決定する。そして、この物品数をリーダ／ライタ１４で読み取った無線タグ５０の数と比較し、これらの値が一致すれば全ての物品Ｋに付された無線タグ５０の無線ＩＤが読み取られたと判断する。
【００２９】
これに対して、これらの値が一致しない場合であって、物品Ｋの総重量から求めた物品数が読み取られた無線タグ５０の数よりも多い場合には、無線ＩＤの読み漏れがあったと判断することができる。この場合において、無線ＩＤが読み取られた無線タグの番号に基づいて読み取られていない無線タグの番号が確認できる場合には、その番号を特定し、個別に読み取りを行うことで、無線タグの故障や取り付け漏れ、認識不良等をリカバリすることができる。
【００３０】
あるいは、無線ＩＤ読み取り装置１０は、コンピュータ１６が、このようなエラーが生じた場合に、自動で再測定を行う構成であってもよい。さらに、予め設定された回数だけ再測定を行っても、読み取り漏れが解消されない場合には、コンピュータ１６が音声警報またはディスプレイへの表示警報を発して、無線ＩＤ読み取り装置１０のオペレータに注意を喚起する構成としてもよい。
【００３１】
これに対して、物品Ｋの総重量から求めた物品数が読み取られた無線タグ５０の数よりも少ない場合には、重量測定器１８のゼロ点の設定等に問題があると考えられるので、コンピュータ１６が重量測定器１８の更正を行うようにオペレータに指示する構成とすることができる。
【００３２】
このように、無線ＩＤ読み取り装置１０によれば、重量が同じである複数の物品Ｋにそれぞれ付された無線タグ５０を一括して読み取り、その際の読み漏れを容易に検出することができる。
【００３３】
次に、本発明の第２の実施形態に係る無線ＩＤ読み取り装置の概略構成を示す。この無線ＩＤ読み取り装置２０は、無線タグ５０が付された複数の物品Ｌの総厚さを測定するための厚さ測定器２２と、送受信アンテナ（ＲＷアンテナ）１２と、リーダ／ライタ１４と、コンピュータ１６とを備えている。これら送受信アンテナ（ＲＷアンテナ）１２と、リーダ／ライタ１４と、コンピュータ１６は、先に説明した無線ＩＤ読み取り装置１０を構成するものと実質的に同じである。
【００３４】
物品Ｌは、例えば、書籍やダイレクトメール（郵便物）、容器（例えば、工業製品等がその内部に収納されている）等であって、厚さが一定であり、しかも、１個の物品Ｌの厚さは既知である。この１個の物品Ｌの厚さは、キーボード１６ａからコンピュータ１６へ入力される。
【００３５】
厚さ測定器２２は、複数の物品Ｌをその厚さ方向を揃えて載置し、これら複数の物品Ｌを一定の力で挟み込んでその間隔を測定するものであり、載置台２２ａと、固定板２２ｂと、可動板２２ｃと、可動板２２ｃをスライドさせて一定の力で固定板２２ｃ側に押圧するためのスライド機構２２ｄと、固定板２２ｂと可動板２２ｃとの間の距離を測定するための測長器２２ｅとを有している。
【００３６】
スライド機構２２ｄには、例えば、油圧スライダ、空気圧スライダ、ボールねじ等を用いることができる。物品Ｌが変形しない物の場合には、スライド機構２２ｄとして、手動にて可動板２２ｃをセットできる構造のものを用いることもできる。測長器２２ｅとしては、リニアスケール、レーザー測長器等を用いることができる。厚さ測定器２２で測定された複数の物品Ｌの総厚さは、コンピュータ１６へ送信される。載置台２２ａに並べられる物品Ｌの数は一定とは限らない。
【００３７】
なお、物品Ｌが書籍やダイレクトメールのように、空気層があるためにその厚さ方向に加える力によって厚さの測定値がばらつく物については、１個の物品Ｌの厚さは、一定の押圧力が加えられた状態で測定されているものとし、厚さ測定器２２においては、この押圧力と同じ力が加えられた状態で、複数の物品Ｌの総厚さを測定するものとする。
【００３８】
コンピュータ１６は、所定のソフトウェアを用いて、厚さ測定器２２で測定された複数の物品Ｌの総厚さを、物品Ｌの１個の厚さで除する。その値は原則として整数となるはずなので、総厚さの測定精度を考慮して、この整数（つまり、物品数）を決定する。そして、この物品数をリーダ／ライタ１４で読み取った無線タグ５０の数と比較し、これらの値が一致すれば全ての物品Ｌに付された無線タグ５０の無線ＩＤが読み取られたと判断する。
【００３９】
これに対して、これらの値が一致しない場合であって、複数の物品Ｌの総厚さから求めた物品数が読み取られた無線タグ５０の数よりも多い場合には、無線ＩＤの読み漏れがあったと判断される。一方、複数の物品Ｋの総厚さから求めた物品数が読み取られた無線タグ５０の数よりも少ない場合には、厚さ測定器２２のゼロ点設定や押圧力の設定等に問題があると考えられる。このような事態が生じた場合の対処法は、先に説明した無線ＩＤ読み取り装置１０と同様である。
【００４０】
続いて、この無線ＩＤ読み取り装置２０を用いて、異なる厚さを有する複数の物品（但し、一部の物品の厚さは同じであってもよい）にそれぞれ付された無線タグのＩＤを一括して読み取る方法について説明する。
【００４１】
図３はｎ個の物品Ｍ１，Ｍ２，…Ｍｎを厚さ測定器２２にセットした状態を示している。なお、‘ｎ’は整数であるが、‘ｎ’の値は無線ＩＤ読み取り装置２０による無線ＩＤの読み取り前においては不明であるとする。例えば、個々に無線タグ５０が貼り付けられた封書等の郵便物が収容されたコンテナから、その数をカウントすることなく複数の郵便物を取り出して、厚さ測定器２２にセットした場合等が挙げられる。
【００４２】
これらｎ個の物品Ｍ１，Ｍ２，…Ｍｎにそれぞれ付されている無線タグ５０には、各物品の厚さが記憶されている。これらｎ個の物品Ｍ１，Ｍ２，…Ｍｎのそれぞれの厚さは、各物品の厚さ方向に一定の押圧力が加えられた状態において測定されたものである。このようなｎ個の物品Ｍ１，Ｍ２，…Ｍｎをその厚さ方向を合わせて、厚さ測定器２２にセットする。その際、物品Ｍ１，Ｍ２，…Ｍｎは、個々の厚さを測定したときと同じ押圧力で固定板２２ｂと可動板２２ｃに挟まれる。
【００４３】
こうして、これらの物品Ｍ１，Ｍ２，…Ｍｎにそれぞれ取り付けられた無線タグ５０の無線ＩＤを一括読み取りする。コンピュータ１６は、読み取った無線タグ５０の数を把握し、さらに所定のソフトウェアを用いて、それぞれの無線タグに記憶された物品Ｍ１，Ｍ２，…Ｍｎの厚さの総和を算出し、この総和を厚さ測定器２２によって測定された物品Ｍ１，Ｍ２，…Ｍｎの総厚さと比較する。
【００４４】
これらの値が所定の誤差範囲内で一致すれば、無線タグ５０の読み漏れは無かったものとすることができ、物品Ｍ１，Ｍ２，…Ｍｎの数ｎが確定する。これに対して、無線タグ５０を読み取って算出された総厚さと厚さ測定器２２によって測定された総厚さとの間に差がある場合には、先の同一厚さの物品Ｌを取り扱った場合と同様のリカバリを行うことができる。
【００４５】
本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよく、また、異なる実施形態にわたる構成要素を適宜組み合わせてもよい。
【００４６】
例えば、重量一定かつ厚さ一定の物品については、複数の総重量および総厚さを測定して、重量ベースの物品数と、厚さベースの物品数と、読み取った無線タグの数とを対比させることにより、より正確な無線ＩＤの読み取りを行うことができる。
【図面の簡単な説明】
【００４７】
【図１】本発明の第１の実施形態に係る無線ＩＤ読み取り装置の概略図。
【図２】本発明の第２の実施形態に係る無線ＩＤ読み取り装置の概略図。
【図３】図２の無線ＩＤ読み取り装置に厚さの異なる複数の物品をセットした状態を示す斜視図。
【符号の説明】
【００４８】
１０，２０…無線ＩＤ読み取り装置、１２…送受信アンテナ、１４…リーダ／ライタ、１６…パーソナルコンピュータ、１６ａ…キーボード、１８…重量測定器、２２…厚さ測定器、２２ａ…載置台、２２ｂ…固定板、２２ｃ…可動板、２２ｄ…スライド機構、２２ｅ…測長器、５０…無線タグ、５２…箱、Ｋ，Ｌ，Ｍ…物品。
【図１】
2007193428.tif 000003
【図２】
2007193428.tif 000004
【図３】
2007193428.tif 000005